(57)【要約】【課題】解決しようとしている課題は、折り畳み傘の運搬時に鞄等、他の物と合体させ、一体となり運べる利便性を持たせること、その際に鞄表面や鞄内に傘の水分が付着しないこと。また、一時保管時には傘盾にひとつ分の傘のスペースで収納することができること、と同時に傘に付いた水分を乾燥させることである。更に、運搬時においては鞄に限定されず、多様な形態において使用できることである。【解決手段】ケース本体とクリップとからなる折り畳み傘収納具であって、底部に水抜き用の開閉式蓋を有する長さが１５〜４０ｃｍのシリコン等を含む樹脂製の中空筒状体と更に筒状体内部または外部にシリコン等を含む樹脂製の上下が筒抜けの空洞のポケットと側面がＵ字体であって、正面から見て長方形または円形であり、Ｕ字体の少なくとも一方にフック機能を有するクリップとからなることを特徴とする折り畳み傘収納具とする。【選択図】  図１
2016209107.tif 000002
【特許請求の範囲】
【請求項１】
ケース本体とクリップとからなる折り畳み傘収納具であって、底部に水抜き用の開閉式蓋を有する長さが１５〜４０ｃｍのシリコン等を含む樹脂製の中空筒状体と更に筒状体内部または外部にシリコン等を含む樹脂製の上下が筒抜けの空洞のポケットと側面がＵ字体であって、正面から見て長方形または円形であり、Ｕ字体の少なくとも一方にフック機能を有するクリップとからなることを特徴とする折り畳み傘収納具。
【発明の詳細な説明】
【背景技術】
【０００１】
既存の折り畳み傘収納ケースはビニール製が一般的で、運搬時は鞄等の取っ手とは別に持つか、あるいは鞄内に入れるかのいずれかであるが、前者は不便であり、また後者は傘が濡れた状態でビニールのケースに入れるだけでは鞄内の他の収納物に湿気や水分が付着しやすい。一方、一時保管時には傘盾に立てることができないため、通常は傘盾の上や底に横向きに置くことになる。こういった置き方では、他の傘に押されて落とされたり、また置きスペースも傘ひとつ分より大きく取る必要があり、他の方が傘を置く際の妨げにもなりかねない。加えて、横向きに置くだけでは、傘に付着した水分を乾かすことにおいても不十分である。
【先行技術文献】
【特許文献】
【０００２】
【特許文献１】特開平０３−０２７７１９号公報
【発明の概要】
【発明が解決しようとする課題】
【０００３】
解決しようとしている課題は、折り畳み傘の運搬時に鞄等、他の物と合体させ、一体となり運べる利便性を持たせること、その際に鞄表面や鞄内に傘の水分が付着しないこと。また、一時保管時には傘盾にひとつ分の傘のスペースで収納することができること、と同時に傘に付いた水分を乾燥させることである。更に、運搬時においては鞄に限定されず、多様な形態において使用できることである。
【課題を解決するための手段】
【０００４】
シリコン等を含む樹脂製からなる本体ケースにフック機能を持たせたクリップを付けた。クリップは他の物と合体させるグリップ力が強く、かつ軽量で耐久性のあるプラスティック等を含む樹脂製またはステンレス製からなる。更にクリップのＵ字部の大きさを複数設けることで、運搬時の合体させる物は鞄に限定されず、多種多様な形態での使用を可能とした。一時保管時にはケース本体下部にある開閉式蓋を開けておくことにより、傘に付着した水分を乾燥させる機能を持たせた。ケースの素材は軽量かつ耐久性に優れたシリコン、ポリエチレン、ポリプロビレン等を含む樹脂製が好ましく、サイズは長さが２０〜４０ｃｍ、縦幅が２〜５ｃｍ、横幅が５〜１０ｃｍ。形状は中空筒状体で上から見たときは、四角形または円形。更にケース本体にはクリップを挿入し固定させるための上下空洞のポケットを有し、クリップとの密着力を高めるための、ひとつ又は複数の穴または窪みを設ける。ケース下部の形状は半円形または四角形または三角錐とする。
【０００５】
ケース本体に付随するポケットのサイズは、長さが２０〜４０ｃｍ、横幅が３〜１０ｃｍ、奥行きが０．５ｍｍ〜１ｃｍとする。クリップは軽量で耐久性に優れ、グリップ力が強く、運搬時に鞄等から外れ落ちない素材や構造とし、素材はプラスティック等を含む樹脂製やステンレス製が好ましい。ケース本体のポケット挿入部はケース本体のひとつ又は複数の穴と密着させるためのひとつ又は複数の突起を有する。クリップのサイズは全長３０〜６０ｃｍ、厚みは１．５〜４ｃｍ、横幅は２．５〜８ｃｍとする。ケース下部にある水抜き用開閉式蓋はプラスティク等を含む樹脂製とし、形状は円形で直径１〜４ｃｍ、穴のサイズは２ｍｍ〜２ｃｍとする。
【発明の効果】
【０００６】
これまで、折り畳み傘の運搬時にあった煩わしさを解消するとともに、合理的に取り扱うことを可能とした。鞄等にしっかりと固定させるクリップが備わっており、クリップばかりではなく、ケース本体もシリコン等を含む樹脂製としたことで、他の物との高い密着性を持たせた。また、一時保管時には傘盾に傘ひとつ分のスペースで収納することが可能となり、加えてケース下部にある開閉式の蓋を開けておくことにより、傘に付着した水分を乾燥させることを可能とした。
【図面の簡単な説明】
【０００７】
【図１】代表図であり、クリップを取り付けた状態で斜め右上から見た場合
【図２】ケース本体を正面から見た図
【図３】ケース本体を横から見た図
【図４】ケース本体を後方から見た図
【図５】フックの代表図
【図６】ケースとクリップの合体に関する説明図
【図７】水抜き用の開閉蓋の図
【発明を実施するための形態】
【０００８】
本発明を実施例でもって説明する。
【実施例１】
【０００９】
鞄の外壁にクリップで挟み込み、ケース本体は鞄外または鞄内に入れて運搬する。ケース本体がシリコン等を含む樹脂製としたことで、いろんな大きさや形の折り畳み傘を収納させることができ、ケース本体が変形することで、例えば小さな折り畳み傘を収納した場合にはケースが傘のサイズに応じて変形することで、ケース本体分のスペースを必要としない。
クリップはケース本体から取り外しが可能であり、クリップのＵ字部の大きさを複数タイプ設けることで、例えば自転車の籠やハンドル、ベビーカーのハンドル、買い物カートのハンドル、車の運転席や助手席の背部など、多様な物に取り付けし、運搬が可能である。
大きめのクリップを取り付けした場合には、物干し竿に干してケース本体を殺菌、乾燥させることが可能となり、ケースのメンテナンスもできる。
ケース本体にクリップを取り付けしない場合は、例えば杖等、棒状のものをポケットに挿入することで容易に合体させることができる。
クリップのグリップ力は強く、ケース本体が柔らかい素材でできているため、例えばランドセルの横側に取り付けができ、子供にとっても安全かつ便利に使用できる。
傘盾にクリップを引っかけて一時保管する場合は、保管を容易にするばかりではなく、傘ひとつ分のスペースで傘盾に収納できる。また、ケース下部にある水抜き用開閉式蓋を開けておくことにより、傘に付いた水分を乾燥させることができる。
本発明品とは別に、ケース本体のカバーをナイロン製などで作った場合には、ケース自体をいろんな色や柄にすることが可能となり、デザイン性を持たせることが可能となる。
【産業上の利用可能性】
【００１０】
折り畳み傘の運搬・保管の煩わしさ、不便さを解消し、便利かつ合理的にできることを可能としたことで、今後、折り畳み傘の保持具として用いることができる。
【図１】
2016209107.tif 000003
【図２】
2016209107.tif 000004
【図３】
2016209107.tif 000005
【図４】
2016209107.tif 000006
【図５】
2016209107.tif 000007
【図６】
2016209107.tif 000008
【図７】
2016209107.tif 000009